(57)【要約】【課題】安定したアドレス選択ができるプラズマディスプレイの駆動方法及びプラズマディスプレイ装置を提供することを目的とする。【解決手段】複数のＸ電極２５とＹ電極３５からなる表示電極対を有するプラズマディスプレイを、１フィールドの画像を複数のサブフィールドに分割して駆動するプラズマディスプレイの駆動方法であって、  前記サブフィールドは、書き込み放電を発生させる書き込み期間と、電荷調整を行う補償期間とを含むリセット期間Ｔｒと、アドレス放電を発生させるアドレス期間Ｔａとを含み、  前記補償期間において、スキャン順序の遅い前記Ｙ電極を有する前記表示電極対間の電位差は、スキャン順序の早い前記表示電極対間の電位差以下であり、かつスキャン順序の遅い前記表示電極対が早い前記表示電極対間よりも電位差の小さい前記表示電極対を少なくとも１つ含み、前記表示電極対間の電位差は、前記Ｘ電極に印加される電圧により制御される。【選択図】  図２
2010039309.tif 000002
【特許請求の範囲】
【請求項１】
第１の方向に延在し、第２の方向に対で配置される複数のＸ電極と複数のＹ電極からなる複数の表示電極対と、前記表示電極対に交差するように配置された複数のアドレス電極と、
前記表示電極対と前記アドレス電極との交点に形成される複数の表示セルを有するプラズマディスプレイを、１フィールドの画像を複数のサブフィールドに分割したサブフィールド法により駆動するプラズマディスプレイの駆動方法であって、
前記サブフィールドのうちの少なくとも1つのサブフィールドは、前記表示セルを初期化するリセット期間と、前記Ｙ電極に順次スキャンパルスを印加し、前記スキャンパルスの印加に同期して、前記アドレス電極にアドレスパルスを印加することによりアドレス放電を発生させるアドレス期間を含んで構成され、
前記リセット期間の少なくとも一部の期間は、時間の経過とともに前記Ｙ電極の電位が減少する傾斜波を有する補償期間を有し、
前記補償期間の前記表示電極対間の電位差において、
前記スキャンパルスを時間上後に印加するＹ電極を有する第２の表示電極対間の最大電位差は、前記第２の表示電極対間よりも時間上前に前記スキャンパルスを印加する第１の表示電極対間の最大電位差以下であり、
かつ、前記第２の前記表示電極対間の最大電位差のうち少なくとも1つは、前記第１の表示電極対間の最大電位差未満であるものを含むとともに、
前記Ｘ電極に印加する電圧により、前記表示電極対間の電位差を制御することを特徴とするプラズマディスプレイの駆動方法。
【請求項２】
前記補償期間に前記Ｘ電極に印加される電圧波形は、一定電位を有する固定電位波形であることを特徴とする請求項１に記載のプラズマディスプレイの駆動方法。
【請求項３】
前記補償期間に前記Ｘ電極に印加される電圧波形は、所定電位から、時間の経過とともに電位が減少する傾斜波を含むことを特徴とする請求項１に記載のプラズマディスプレイの駆動方法。
【請求項４】
前記補償期間において、前記第１の表示電極対をなしている前記Ｘ電極に印加される電圧波形が、一定電位を有する固定電位波形であり、
前記補償期間において、前記第２の表示電極対をなしている前記Ｘ電極に印加される電圧波形が、所定電位から時間の経過とともに電位が減少する傾斜波を含むことを特徴とする請求項１に記載のプラズマディスプレイの駆動方法。
【請求項５】
前記補償期間に前記Ｘ電極に印加される前記傾斜波は、前記Ｘ電極をフローティング状態とすることにより発生させることを特徴とする請求項３又は４に記載のプラズマディスプレイの駆動方法。
【請求項６】
第１の方向に延在し、第２の方向に交互に配置される複数のＸ電極とＹ電極からなる表示電極対と、該表示電極対に交わるように配置されたアドレス電極を有するプラズマディスプレイを、１フィールドの画像を複数のサブフィールドに分割したサブフィールド法により駆動するプラズマディスプレイ装置であって、
前記サブフィールドは、前記Ｙ電極に電圧を印加して書き込み放電を発生させる書き込み期間と、前記Ｙ電極及び前記Ｘ電極に電圧を印加して前記書き込み放電で発生した電荷を調整する補償期間とを含むリセット期間と、前記Ｙ電極を前記第２の方向について順次スキャンし、前記アドレス電極と前記Ｙ電極でアドレス放電を発生させるアドレス期間とを含み、
前記Ｘ電極を駆動するＸ駆動回路と、
前記Ｙ電極を駆動するＹ駆動回路と、を有し、
前記Ｘ駆動回路は、第１のＸ駆動回路ブロックと、該第１のＸ駆動回路ブロックに駆動される前記Ｘ電極と前記表示電極対をなす前記Ｙ電極よりもスキャン順序の遅い前記Ｙ電極と前記表示電極対をなす前記Ｘ電極を駆動する第２のＸ駆動回路ブロックとを有し、
前記リセット期間の前記補償期間において、前記Ｙ駆動回路が前記Ｙ電極に電圧を印加したときに、前記第２のＸ駆動回路ブロックは、前記第１のＸ駆動回路ブロックよりも低い電位を前記Ｘ電極に供給することを特徴とするプラズマディスプレイ装置。
【請求項７】
前記Ｙ駆動回路は、前記書き込み期間には前記Ｙ電極に正極性の電圧を印加して書き込み放電を発生させ、前記Ｙ電極に印加する電圧が最高電位に到達して以後、前記補償期間には時間の経過により電位が減少する傾斜波を前記Ｙ電極に印加し、前記傾斜波は前記書き込み期間の電圧波形と逆極性の部分を含むことを特徴とする請求項６に記載のプラズマディスプレイ装置。
【請求項８】
前記補償期間において、前記第１のＸ駆動回路ブロック及び前記第２のＸ駆動回路ブロックは、一定電位を有する固定電位波形を前記Ｘ電極に印加することを特徴とする請求項６又は７に記載のプラズマディスプレイ装置。
【請求項９】
前記補償期間において、前記第１のＸ駆動回路ブロック及び前記第２のＸ駆動回路ブロックは、所定電位から時間の経過とともに電位が減少する傾斜波を含む電圧波形を前記Ｘ電極に印加することを特徴とする請求項６又は７に記載のプラズマディスプレイ装置。
【請求項１０】
前記補償期間において、前記第１のＸ駆動回路ブロックは、一定電位を有する固定電位波形を前記Ｘ電極に印加し、
前記補償期間において、前記第２のＸ駆動回路ブロックは、所定電位から時間の経過とともに電位が減少する傾斜波を含む電圧波形を前記Ｘ電極に印加することを特徴とする請求項６又は７に記載のプラズマディスプレイ装置。
【請求項１１】
前記Ｘ電極駆動回路は、前記Ｘ電極をフローティング状態とすることにより、前記傾斜波を発生させることを特徴とする請求項９又は１０に記載のプラズマディスプレイ装置。
【発明の詳細な説明】
【技術分野】
【０００１】
本発明は、プラズマディスプレイの駆動方法及びプラズマディスプレイ装置に関し、特に、リセット放電を行うプラズマディスプレイの駆動方法及びプラズマディスプレイ装置に関する。
【背景技術】
【０００２】
従来から、サブフィールド法を用いたプラズマディスプレイの駆動方法において、リセット期間で、Ｙ電極に正極性の第１のパルスを印加して第１の放電を発生させ、その後時間の経過とともに印加電圧値が変化する負極性の第２のパルスを印加して第２の放電を発生させ、第１の放電で放電セル内に蓄積された壁電荷の量を調整し、セルの状態を均一にし、安定なアドレス放電を行うようにした技術が知られている（例えば、特許文献１参照）。
【特許文献１】特開２０００−７５８３５号公報
【発明の開示】
【発明が解決しようとする課題】
【０００３】
しかしながら、上述の特許文献１に記載の構成では、総てのセルに対して同じ第１の放電及び第２の放電を行うため、第２の放電が終了した直後では、放電セル内の壁電荷は均一となるが、その後のアドレス期間において、Ｙ電極を順次スキャンさせてスキャンパルスを印加し、１行ずつ発光セルを選択するアドレス選択を行うため、スキャン順序が遅い行の放電セルは、リセット放電後、自分の順番が回って来るまでアドレス放電を待機することになる。アドレス放電においては、縦方向に延在するアドレス電極には発光、非発光に応じて、アドレスパルスがＹ電極のスキャン毎に印加されるため、スキャン順序を待っている放電セルには、アドレス電極からアドレスパルスが印加されるうちに、放電こそ発生しないものの、壁電荷の状態が変化し、壁電荷量が減少してゆく現象が生じるという問題があった。
【０００４】
そこで、本発明は、アドレス期間における放電セル内の壁電荷量の変化を考慮し、リセット期間において予め壁電荷量を調整し、安定したアドレス選択を行うことができるプラズマディスプレイの駆動方法及びプラズマディスプレイ装置を提供することを目的とする。
【課題を解決するための手段】
【０００５】
上記目的を達成するため、第１の発明に係るプラズマディスプレイの駆動方法は、第１の方向に延在し、第２の方向に対で配置される複数のＸ電極と複数のＹ電極からなる複数の表示電極対と、前記表示電極対に交差するように配置された複数のアドレス電極と、
前記表示電極対と前記アドレス電極との交点に形成される複数の表示セルを有するプラズマディスプレイを、１フィールドの画像を複数のサブフィールドに分割したサブフィールド法により駆動するプラズマディスプレイの駆動方法であって、
前記サブフィールドのうちの少なくとも1つのサブフィールドは、前記表示セルを初期化するリセット期間と、前記Ｙ電極に順次スキャンパルスを印加し、前記スキャンパルスの印加に同期して、前記アドレス電極にアドレスパルスを印加することによりアドレス放電を発生させるアドレス期間を含んで構成され、
前記リセット期間の少なくとも一部の期間は、時間の経過とともに前記Ｙ電極の電位が減少する傾斜波を有する補償期間を有し、
前記補償期間の前記表示電極対間の電位差において、
前記スキャンパルスを時間上後に印加するＹ電極を有する第２の表示電極対間の最大電位差は、前記第２の表示電極対間よりも時間上前に前記スキャンパルスを印加する第１の表示電極対間の最大電位差以下であり、
かつ、前記第２の前記表示電極対間の最大電位差のうち少なくとも1つは、前記第１の表示電極対間の最大電位差未満であるものを含むとともに、
前記Ｘ電極に印加する電圧により、前記表示電極対間の電位差を制御することを特徴とする。
【０００６】
これにより、リセット期間の補償期間において、スキャンパルスが時間上前に印加されるＹ電極を備える表示セル内には、壁電荷量をスキャンパルスが時間上後に印加されるＹ電極を用いる表示セル内よりも多く残すことができ、アドレス期間のスキャン待機中で壁電荷が減少しても、適切なリセット放電を実行することができ、アドレス期間におけるアドレスミスを防ぐことができる。
【０００７】
第２の発明は、第１の発明に係るプラズマディスプレイの駆動方法において、
前記補償期間に前記Ｘ電極に印加される電圧波形は、一定電位を有する固定電位波形であることを特徴とする。
【０００８】
これにより、クランプにより簡素かつ確実に放電セル内の壁電荷量を調整することができる。
【０００９】
第３の発明は、第１の発明に係るプラズマディスプレイの駆動方法において、
前記補償期間に前記Ｘ電極に印加される電圧波形は、所定電位から、時間の経過とともに電位が減少する傾斜波を含むことを特徴とする。
【００１０】
これにより、傾斜波の傾斜開始タイミング等の調整を行いつつリセット放電を行うことができる。
【００１１】
第４の発明は、第１の発明に係るプラズマディスプレイの駆動方法において、
前記補償期間において、前記第１の表示電極対をなしている前記Ｘ電極に印加される電圧波形が、一定電位を有する固定電位波形であり、
前記補償期間において、前記第２の表示電極対をなしている前記Ｘ電極に印加される電圧波形が、所定電位から時間の経過とともに電位が減少する傾斜波を含むことを特徴とする。
【００１２】
これにより、スキャンパルスが時間上前に印加されるＹ電極と表示電極対をなすＸ電極に印加される電圧と、スキャンパルスが時間上後に印加されるＹ電極と表示電極対をなすＸ電極に印加される電圧との電位差を大きくすることができ、放電セル内の壁電荷量の調整幅を大きくとることができる。
【００１３】
第５の発明は、第３又は第４の発明に係るプラズマディスプレイの駆動方法において、
前記補償期間に前記Ｘ電極に印加される前記傾斜波は、前記Ｘ電極をフローティング状態とすることにより発生させることを特徴とする。
【００１４】
これにより、簡素な構成と制御方法により、容易に傾斜波を発生させることができる。
【００１５】
第６の発明に係るプラズマディスプレイ装置は、第１の方向に延在し、第２の方向に交互に配置される複数のＸ電極とＹ電極からなる表示電極対と、該表示電極対に交わるように配置されたアドレス電極を有するプラズマディスプレイを、１フィールドの画像を複数のサブフィールドに分割したサブフィールド法により駆動するプラズマディスプレイ装置であって、
前記サブフィールドは、前記Ｙ電極に電圧を印加して書き込み放電を発生させる書き込み期間と、前記Ｙ電極及び前記Ｘ電極に電圧を印加して前記書き込み放電で発生した電荷を調整する補償期間とを含むリセット期間と、前記Ｙ電極を前記第２の方向について順次スキャンし、前記アドレス電極と前記Ｙ電極でアドレス放電を発生させるアドレス期間とを含み、
前記Ｘ電極を駆動するＸ駆動回路と、
前記Ｙ電極を駆動するＹ駆動回路と、を有し、
前記Ｘ駆動回路は、第１のＸ駆動回路ブロックと、該第１のＸ駆動回路ブロックに駆動される前記Ｘ電極と前記表示電極対をなす前記Ｙ電極よりもスキャン順序の遅い前記Ｙ電極と前記表示電極対をなす前記Ｘ電極を駆動する第２のＸ駆動回路ブロックとを有し、
前記リセット期間の前記補償期間において、前記Ｙ駆動回路が前記Ｙ電極に電圧を印加したときに、前記第２のＸ駆動回路ブロックは、前記第１のＸ駆動回路ブロックよりも低い電位を前記Ｘ電極に供給することを特徴とする。
【００１６】
これにより、スキャン順序の早いＹ電極と表示電極対をなすＸ電極と、スキャン順序の遅いＹ電極と表示電極対をなすＸ電極とに、異なるＸ駆動回路ブロックにより異なる電位を印加する駆動を容易に行うことができ、リセット放電における壁電荷量をＸ電極全体で均一化を図り、アドレス期間におけるアドレスミスを低減させることができる。
【００１７】
第７の発明に係るプラズマディスプレイ装置は、第６の発明に係るプラズマディスプレイ装置において、
前記Ｙ駆動回路は、前記書き込み期間には前記Ｙ電極に正極性の電圧を印加して書き込み放電を発生させ、前記Ｙ電極に印加する電圧が最高電位に到達して以後、前記補償期間には時間の経過により電位が減少する傾斜波を前記Ｙ電極に印加し、前記傾斜波は前記書き込み期間の電圧波形と逆極性の部分を含むことを特徴とする。
【００１８】
これにより、Ｙ電極に印加されるリセット電圧波形のいわゆる補償期間において、Ｘ電極側に印加する電圧により壁電荷量の調整を行うことができ、リセット電圧波形の本来の目的である壁電荷量の調整をＸ電極側から実行することができる。
【００１９】
第８の発明は、第６又は第７の発明に係るプラズマディスプレイ装置において、
前記補償期間において、前記第１のＸ駆動回路ブロック及び前記第２のＸ駆動回路ブロックは、一定電位を有する固定電位波形を前記Ｘ電極に印加することを特徴とする。
【００２０】
これにより、クランプ回路を利用して、簡素な構成によりスキャン順序に応じたリセット放電を行うことができる。
【００２１】
第９の発明は、第６又は第７の発明に係るプラズマディスプレイ装置において、
前記補償期間において、前記第１のＸ駆動回路ブロック及び前記第２のＸ駆動回路ブロックは、所定電位から時間の経過とともに電位が減少する傾斜波を含む電圧波形を前記Ｘ電極に印加することを特徴とする。
【００２２】
これにより、傾斜波の印加タイミング等の調整により、リセット放電の制御を行うことができる。
【００２３】
第１０の発明は、第６又は第７の発明に係るプラズマディスプレイ装置において、
前記補償期間において、前記第１のＸ駆動回路ブロックは、一定電位を有する固定電位波形を前記Ｘ電極に印加し、
前記補償期間において、前記第２のＸ駆動回路ブロックは、所定電位から時間の経過とともに電位が減少する傾斜波を含む電圧波形を前記Ｘ電極に印加することを特徴とする。
【００２４】
これにより、第１のＸ駆動回路ブロックから印加される固定電圧波形の電圧値と、第２のＸ駆動回路ブロックから印加される傾斜波を含む電圧波形の電位差を大きくすることができ、壁電荷量の調整幅を大きくすることができる。
【００２５】
第１１の発明は、第９又は第１０の発明に係るプラズマディスプレイ装置において、
前記Ｘ電極駆動回路は、前記Ｘ電極をフローティング状態とすることにより、前記傾斜波を発生させることを特徴とする。
【００２６】
これにより、クランプによる電位供給手段を新たに設ける必要が無く、簡素な回路構成で電位を低下させた傾斜波を印加することができる。
【発明の効果】
【００２７】
本発明によれば、リセット放電を、アドレス期間の現象を考慮して不均衡を是正する形で行うことができ、アドレスミスを低減させることができる。
【発明を実施するための最良の形態】
【００２８】
以下、図面を参照して、本発明を実施するための最良の形態の説明を行う。
【００２９】
図１は、本発明を適用した実施の形態に係るプラズマディスプレイ装置の全体構成を示した図である。図１において、本実施の形態に係るプラズマディスプレイ装置は、プラズマディスプレイパネル１０と、Ｘ駆動回路２０と、Ｙ駆動回路３０と、アドレス駆動回路４０と、制御回路５０とを有する。
【００３０】
プラズマディスプレイパネル１０は、プラズマディスプレイ装置の表示パネルであって、動画像を表示するパネルである。プラズマディスプレイパネル１０は、横方向にほぼ平行に延在するＸ電極２５とＹ電極３５とを複数備え、Ｘ電極２５とＹ電極３５は、縦方向に交互に配置される。また、プラズマディスプレイパネル１０は、Ｘ電極２５とＹ電極３５の双方に略垂直に交わるように、縦方向に延在する複数のアドレス電極４５を有する。
【００３１】
Ｘ電極２５と、Ｙ電極３５と、アドレス電極４５との交点には、隔壁（図示せず）で区切られたセル１１が形成される。つまり、セル１１は、Ｘ電極２５、Ｙ電極３５及びアドレス電極４５の３種類の電極を備える。Ｘ電極２５とＹ電極３５は、表示電極対をなす。また、アドレス電極４５は、セル１１のうち、発光させるセル１１を選択するアドレス放電を行うための電極である。なお、Ｘ電極２５は維持電極又はサステイン電極、Ｙ電極３５は走査電極又はスキャン電極と呼んでもよい。本実施の形態では、Ｘ電極２５及びＹ電極３５の呼称で統一するが、Ｘ電極２５には維持電極及びサステイン電極、Ｙ電極３５には走査電極及びスキャン電極が含まれるものとする。
【００３２】
プラズマディスプレイパネル１０は、１フィールドの画像を複数のサブフィールドに分割したサブフィールド法により駆動される。各サブフィールドにおいて、プラズマディスプレイパネル１０に備えられたＸ電極２５、Ｙ電極３５及びアドレス電極４５が駆動されることにより、プラズマディスプレイパネル１０が駆動される。各サブフィールドは、リセット放電を行うリセット期間、アドレス放電を行うアドレス期間及びサステイン放電を行うサステイン期間により構成される。リセット期間では、Ｘ電極２５とＹ電極３５に電圧が印加されてリセット放電が発生する。アドレス期間では、Ｙ電極３５とアドレス電極４５に電圧が印加されてアドレス放電が発生するとともに、Ｘ電極２５にも電圧が印加され、２次的なアドレス放電が更に発生する。サステイン期間では、Ｘ電極２５とＹ電極３５に、交互に電圧が印加され、持続的なサステイン放電が、階調に応じて発生する。このように、プラズマディスプレイパネル１０に備えられたＸ電極２５、Ｙ電極３５及びアドレス電極４５により、サブフィールド内の各期間の放電が実行され、１フィールドの画像が表示される。
【００３３】
Ｙ駆動回路３０は、Ｙ電極３５を駆動するための回路である。Ｙ電極３５は、各々が独立して個別にＹ駆動回路３０に接続される。Ｙ駆動回路３０は、リセット期間及びサステイン期間には、総てのＹ電極３５又は発光セルとして選択されたセル１１を含むＹ電極３５に対して、電圧を印加する。一方、Ｙ駆動回路３０は、アドレス期間においては、上から又は下から、順次Ｙ電極３５をスキャンしてスキャンパルスの電圧を印加する。つまり、例えば上からスキャンを行うとすると、Ｙ電極３５のＹ１、Ｙ２、・・Ｙｎ−１、Ｙｎ、・・・Ｙｍというように、１本ずつスキャンパルス電圧を印加してＹ電極３５の駆動を行う。よって、同じタイミングには、１本のＹ電極３５にしか電圧が印加されておらず、上から順にＹ電極３５にスキャンパルスが印加される動作が、Ｙ駆動回路３０により行われる。
【００３４】
Ｘ駆動回路２０は、Ｘ電極２５を駆動するための回路である。本実施の形態に係るＸ駆動回路２０は、複数のＸ電極２５がいくつかのブロックに分割され、各ブロック毎にＸ電極２５を駆動するための駆動回路を有する。図１においては、Ｘ電極駆動回路２０は、Ｘ電極２５のＸ１〜Ｘｎ−１を駆動する第１のＸ電極駆動回路ブロック２１と、Ｘ電極２５のＸｎ〜Ｘｍを駆動する第２のＸ電極駆動回路ブロック２２とを有する。なお、図１において、第１の駆動回路ブロック２１はＸ電極群Ｘａに接続されたＡブロック、第２の駆動回路ブロック２２はＸ電極群Ｘｂに接続されたＢブロックとして示されている。
【００３５】
第１のＸ電極駆動ブロック２１は、Ｘ電極２５のＸ１〜Ｘｎ−１までを１ブロックとしてまとめて駆動する回路であり、共通電極Ｘａを介してＸ電極２５のＸ１〜Ｘｎ−１に共通の電圧を印加する。同様に、第２のＸ電極駆動ブロック２２は、Ｘ電極２５のＸｎ〜Ｘｍまでを１ブロックとしてまとめて駆動する回路であり、Ｘ電極２５のＸｎ〜Ｘｍに共通電極Ｘｂを介して共通の電圧を印加する。よって、同じブロック内のＸ電極２５については、同一のＸ電極駆動ブロック２１、２２から同一の電圧が印加されるが、第１のＸ電極駆動ブロック２１と第２のＸ電極駆動ブロック２２同士は、互いに異なる独立した電圧を印加することができる。
【００３６】
第１のＸ駆動回路ブロック２１は、プラズマディスプレイパネル１０内の最も上部に配置されたＸ電極Ｘ１を含むブロックであり、第２のＸ駆動回路ブロック２２は、プラズマディスプレイパネル１０内の最も下部に配置されたＸ電極Ｘｍを含むブロックである。上述のように、サブフィールドのアドレス期間において、Ｙ電極３５を上から順にスキャンする場合には、最上部に配置されたＸ電極Ｘ１が、スキャン順序が最も早いＹ電極Ｙ１と表示電極対をなすＸ電極２５である。また、最下部に配置されたＸ電極Ｘｍが、スキャン順序が最も遅いＹ電極Ｙｍと表示電極対をなすＸ電極２５である。本実施の形態においては、Ｘ駆動回路２０は、リセット期間において、アドレス期間で最もスキャン順序の遅いＹ電極３５と表示電極対をなすＸ電極２５に印加する電圧が、最もスキャン順序の早いＹ電極３５と表示電極対をなすＸ電極に印加する電圧よりも低くなるような駆動制御を行う。よって、Ｙ電極３５がＹ１〜Ｙｍの順序でスキャンされる場合には、Ｘ電極Ｘ１が最もスキャン順序の早いＹ電極Ｙ１と表示電極対をなし、Ｘ電極Ｘｍが最もスキャン順序の遅いＹ電極Ｙｍと表示電極対をなすので、Ｘ電極Ｘｍに印加される電圧が、Ｘ電極Ｘ１に印加される電圧よりも電位が低くなる。つまり、第２のＸ駆動回路ブロック２２によりＸ電極Ｘｎ〜Ｘｍに印加される電圧の電位が、第１のＸ駆動回路ブロック２１によりＸ電極Ｘ１〜Ｘｎ−１に印加される電圧の電位よりも低くなるように設定される。逆に、下から上にアドレス期間のスキャンが行われる場合には、最もスキャン順序の遅いＹ電極Ｙ１に対応するＸ電極Ｘ１の電位が、最もスキャン順序の早いＹ電極Ｙｍに対応するＸ電極Ｘｍの電位よりも低くなるように、Ｘ駆動回路２０は設定を行う。なお、より詳細な電位の比較タイミングについては、後述する。
【００３７】
第１のＸ駆動回路ブロック２１が駆動するＸ電極Ｘ１〜Ｘｎ−１と、第２のＸ駆動回路ブロック２２が駆動するＸ電極Ｘ電極Ｘｎ〜Ｘｍの数は、同数であるか、同数に近い分配であってもよい。プラズマディスプレイパネル１０内で、リセット放電の適度な均衡を保つためである。但し、プラズマディスプレイパネル１０の特性に応じて、２つのＸ駆動回路ブロック２１、２２が駆動するＸ電極の数は、任意に設定することができ、用途に応じて適切な放電特性を得ることができる。
【００３８】
なお、図１においては、Ｘ駆動回路２０が、２つのＸ駆動回路ブロック２１、２２を備えている例を示しているが、Ｘ駆動回路ブロック２１、２２は、もっと多く３つ以上設けられてもよい。Ｘ駆動回路ブロック２１、２２が３つ以上である場合には、スキャン順序が最も早いＹ電極Ｙ１と対をなすＸ電極Ｘ１を駆動対象として含む第１のＸ駆動回路ブロック２１と、スキャン順序が最も遅いＹ電極Ｙｍと対をなすＸ電極Ｘｍを駆動対象として含む第２のＸ駆動回路ブロック２２との間に、更にＸ駆動回路ブロックが挿入されることになる。この場合、プラズマディスプレイパネル１０のＸ電極２５をより多くのブロックで分割するので、１つのＸ駆動回路ブロックが駆動するＸ電極２５の数を減らすことができるとともに、印加する電圧設定の数も、Ｘ駆動回路ブロックの数に応じて増やして設定することができる。これにより、更に精度の高い適切なリセット放電を行うことも可能となる。
【００３９】
アドレス駆動回路４０は、アドレス電極４５を駆動するための回路である。アドレス駆動回路４０は、サブフィールドのアドレス期間において、アドレス電極４５にアドレスパルス電圧を印加し、発光セルを選択するアドレス放電を行わせるための駆動回路である。アドレス駆動回路４０は、スキャンされるＹ電極３５の行毎に、発光セルとして選択されるセル１１のアドレス電極４５にアドレスパルスを印加する。アドレス電極４５は、縦方向に延在しているため、アドレスパルスは、スキャンされていないＹ電極３５を含むセル１１に対しても、スキャンされているＹ電極３５を含むセル１１と同様に印加される。このため、かかるアドレスパルスの影響を受け、スキャン順序の遅い行のＹ電極３５は、セル１１内の壁電荷の状態が変化し、壁電荷が減少してゆくことになる。また、アドレスパルスが印加されていない列についても、時間の経過に伴い壁電荷が減少するため、スキャン順序の遅い行のＹ電極３５のセル１１内は、やはり壁電荷が減少してゆくという現象が発生してしまう。
【００４０】
制御回路５０は、１フィールドの画像信号を、プラズマディスプレイパネル１０を駆動可能なサブフィールドの信号に変換し、これにより、Ｘ駆動回路２０、Ｙ駆動回路３０及びアドレス駆動回路４０を駆動制御する回路である。制御回路５０の指令により、Ｘ駆動回路２０、Ｙ駆動回路３０及びアドレス駆動回路４０は駆動する。
【００４１】
図１に示した本実施の形態に係るプラズマディスプレイ装置は、以下に説明する実施例に共通に適用でき、以下、これを用いてプラズマディスプレイパネル１０を駆動する具体的なプラズマディスプレイの駆動方法について説明する。
【実施例１】
【００４２】
図２は、本発明を適用した実施例１に係るプラズマディスプレイの駆動方法及びプラズマディスプレイ装置の、アドレス電極４５、Ｘ電極２５、Ｙ電極３５に印加した１サブフィールドの電圧波形を示した図である。
【００４３】
図２において、上から順に、アドレス電極４５、スキャン順序の一番早いＹ電極Ｙ１と対をなすＸ電極Ｘ１、スキャン順序の一番遅いＹ電極Ｙｍと対をなすＸ電極Ｘｍ、スキャン順序の一番早いＹ電極Ｙ１及びスキャン順序の一番遅いＹ電極Ｙｍに印加される電圧波形が示されている。図１で説明したように、アドレス電極４５にはアドレス駆動回路４０、Ｘ電極Ｘ１には第１のＸ駆動回路ブロック２１、Ｘ電極Ｘｍには第２のＸ駆動回路ブロック２２、Ｙ電極Ｙ１及びＹ電極ＹｍにはＹ駆動回路３０が各々電圧を印加して駆動する。
【００４４】
図２において、リセット期間Ｔｒ、アドレス期間Ｔａ及びサステイン期間Ｔｓが示されているが、横軸は時間軸となっている。リセット期間Ｔｒにおいて、時刻ｔ０からサブフィールドが開始し、時刻ｔ０〜ｔ３の書き込み期間Ｔｒｗにおいて、Ｙ電極Ｙ１、Ｙｍに正極性の同一のリセットパルスが印加されている。書き込み期間Ｔｒｗにおけるリセットパルスは、電位Ｖｓが最初に印加され、時刻ｔ１から時刻ｔ２にかけて時間の経過とともに増加する傾斜波が印加され、時刻ｔ２〜ｔ３において、最高電位（Ｖｓ＋Ｖｗ）に到達している。書き込み期間Ｔｒｗにおいて、アドレス電極４５及びＸ電極Ｘ１、Ｘｍには、電圧は印加されておらず、電位は接地電位であるが、Ｙ電極Ｙ１、Ｙｍに印加された正極性の電圧波形により、第１回目のリセット放電が発生する。なお、図２においては、Ｙ電極Ｙ１、Ｙｍのみの電圧波形を示しているが、総てのＹ電極３５に、同様の電圧波形が印加される。よって、第１回目のリセット放電は、総てのセル１１内に放電を発生させる。
【００４５】
次いで、時刻ｔ３において、Ｙ電極Ｙ１、Ｙｍの電位が、Ｖｓに切り替わる。時刻ｔ３〜ｔ５が、補償期間Ｔｒｃであり、セル１１内の壁電荷量を調整する期間である。補償期間Ｔｒｃにおいては、書き込み期間Ｔｒｗと逆極性の負極性に切り替わる傾斜波による電圧が印加され、セル１１内で、徐々に放電が発生する。図２においては、時刻ｔ３〜ｔ４において、正極性の電位Ｖｓから時間の経過につれて電位が減少し、時刻ｔ４で負極性の最低電位（−Ｖｙｍ）に到達している。この補償期間Ｔｒｃに発生する弱いリセット放電により、第１回目の強いリセット放電で生じた壁電荷が徐々に消去され、セル１１内の壁電荷が減少し、壁電荷量が適切になるように調整される。そして、最低電位（−Ｖｙｍ）に到達する時刻ｔ４〜ｔ５において、セル１１内の壁電荷調整が終了する。
【００４６】
一方、時刻ｔ３〜ｔ５の補償期間において、Ｘ電極Ｘ１、Ｘｍにも電圧が印加されている。Ｘ電極Ｘ１、Ｘｍには、時刻ｔ３〜ｔ５の期間において一定電位の固定電位波形が印加され、Ｘ電極Ｘ１の電圧値はＶｘ１、Ｘ電極Ｘｍの電圧値はＶｘ２である。ここで、Ｘ電極Ｘ１の電位Ｖｘ１と、Ｘ電極Ｘｍの電位Ｖｘ２を比較すると、Ｖｘ１よりＶｘ２が低く、Ｖｘ２＜Ｖｘ１である。つまり、スキャン順序の最も早いＹ電極Ｙ１と表示電極対をなすＸ電極Ｘ１の電位Ｖｘ１よりも、スキャン順序の最も遅いＹ電極Ｙｍと表示電極対をなすＸ電極Ｘｍの電位Ｖｘ２が低い電位となっている。互いに表示電極対をなすＹ電極Ｙ１、Ｙｍには、同じ電圧波形が印加されているので、低い電位Ｖｘ２であるＸ電極Ｘｍを有するセル１１の方が、高い電位Ｖｘ１であるＸ電極Ｘ１を有するセル１１よりも弱い放電となる。弱い放電の方が、壁電荷量の減少を抑制する方向に作用するので、セル１１内に残る壁電荷量は多くなる。アドレス期間において、スキャン順序の遅いＹ電極Ｙｍを有するセル１１は、自分自身のスキャン順序を待っている間に壁電荷量が減少してゆくので、スキャン順序の遅いセル１１については、壁電荷量を多く残すようにすれば、アドレス放電が適切に行えるようになる。本実施例においては、Ｘ電極に印加する電圧値を、スキャン順序に応じて異ならせ、補償期間における壁電荷を徐々に減少させる放電を、スキャン順序が遅いＹ電極Ｙｍを含むセル１１において弱めることとしている。これにより、スキャン順序の最も遅いＹ電極Ｙｍを含むセル１１は、スキャン順序の最も早いＹ電極Ｙ１を含むセル１１よりも壁電荷を多く残してリセット期間を終え、アドレス期間に移行することができる。そして、アドレス期間においては、アドレスミスが低減され、スキャン順序が遅いＹ電極Ｙｍを含むセル１１についても、アドレス放電が適切に行われる。
【００４７】
なお、図１において、Ｘ電極Ｘ１、Ｘｍに印加される電圧波形は、時刻ｔ３〜ｔ５の補償期間Ｔｒｃにおいて一定電位の固定電位波形であるが、この電圧波形が印加される期間は、必ずしも補償期間Ｔｒｃと同一でなくてもよく、その印加期間が短くなってもよい。少なくとも、Ｙ電極Ｙ１、Ｙｍに印加される電圧波形の最低電位（−Ｖｙｍ）となる時刻ｔ４〜ｔ５の間のタイミングにおいて、Ｘ電極Ｘ１、Ｘｍに印加される電圧値Ｖｘ１、Ｖｘ２が、Ｖｘ２＜Ｖｘ１となっていれば、補償期間Ｔｒｃにおいて最も放電の発生し易いときに壁電荷消去量に差を付けることができるので、適切なアドレス放電に繋げることができる。しかしながら、あまりにＸ電極Ｘ１、Ｘｍに印加する電圧波形を短くすると、壁電荷消去量の差が少なくなり過ぎるおそれがあるので、Ｘ電極Ｘ１、Ｘｍに印加する電圧波形のパルス幅は、補償期間Ｔｒｃにおける放電状態を考慮して、適切な長さに設定されることが好ましい。
【００４８】
リセット期間Ｔｒの後は、時刻ｔ５〜ｔ６の間、アドレス期間Ｔａとなる。アドレス期間Ｔａにおいては、アドレス電極４５にはアドレスパルスＶａが印加され、スキャン対象となっているＹ電極に対し、電圧（−Ｖｙ）が印加され、アドレス放電が行われる。リセット期間における壁電荷量の調整により、スキャン順序の遅いＹ電極Ｙｍにおいても、適切にアドレス放電を行うことができる。
【００４９】
アドレス期間Ｔａの終了後は、時刻ｔ６〜ｔ７において、サステイン期間Ｔｓとなる。サステイン期間Ｔｓにおいては、Ｘ電極Ｘ１、ＸｍとＹ電極Ｙ１、Ｙｍに交互にサステインパルスＶｓが印加され、サステイン放電が行われてセル１１が階調に応じて発光する。アドレス期間Ｔａにおけるアドレスミスが低減され、アドレス放電が適切に行われているので、サステイン放電も適切に行われ、所望の階調に応じた回数分、サステイン放電が発生し、適切な動画像がプラズマディスプレイパネル１０に表示される。
【００５０】
図３は、実施例１におけるプラズマディスプレイの駆動方法及びプラズマディスプレイ装置において、図２に示したリセット期間におけるＸ電極Ｘ１、Ｘｍの電圧波形を発生させるためのＸ駆動回路２０の回路構成の一例を示した図である。
【００５１】
図３において、第１のＸ駆動回路ブロック２１と、第２のＸ駆動回路ブロック２２が示されている。図２において、Ｘ電極Ｘ１、Ｘｍの電圧波形を示したが、第１のＸ駆動回路ブロック２１は、Ｘ電極Ｘ１を含むＸ電極群Ｘａ全体に電圧を印加し、第２のＸ駆動回路２２は、Ｘ電極Ｘｍを含むＸ電極群Ｘｂ全体に電圧を印加する。よって、図３においては、第１のＸ駆動回路ブロック２１はＸ電極群Ｘａに出力線が接続され、第２のＸ駆動回路ブロック２２はＸ電極群Ｘｂに出力線が接続されている。
【００５２】
第１のＸ駆動回路ブロック２１は、サステイン駆動回路２３と、リセット駆動回路２４とを含む。また、第２のＸ駆動回路ブロック２２は、サステイン駆動回路２６と、アドレス駆動回路２８と、リセット駆動回路２７とを含む。
【００５３】
サステイン駆動回路２３は、Ｘ電極群Ｘａにサステインパルスを印加するための回路であり、スイッチＳＷ１ａ〜ＳＷ４ａの切替動作により、サステインパルスが出力される。つまり、サステインパルスの立ち上がり時には、スイッチＳＷ１ａがオンし、コンデンサＣａで蓄えた電荷が、図示しないプラズマディスプレイパネル１０の容量性負荷とコイルＬａのＬＣ共振でＸ電極群Ｘａに加えられる。次いで、スイッチＳＷ２ａがオンとなり、Ｘ電極群Ｘａは電位Ｖｓにクランプされる。クランプ状態をしばらく継続した後、スイッチＳＷ１ａ、ＳＷ２ａはオフとなる。次いで、スイッチＳＷ３ａがオンとなり、図示しないプラズマディスプレイパネル１０の容量性負荷とコイルＬａのＬＣ共振でＸ電極群Ｘａの電圧は立ち下がり、次いでスイッチＳＷ４ａがオンとなり、接地電位にクランプされる。サステイン駆動回路２６は、サステイン期間Ｔｓにおいて、このような動作を行う。この動作は、第２のＸ駆動回路ブロック２２のサステイン駆動回路２６においても同様であるので、サステイン駆動回路２６の動作説明は省略する。
【００５４】
次に、第１のＸ駆動回路ブロック２１のリセット駆動回路２４の説明を行う。リセット駆動回路２４は、電位Ｖｘ１の電位供給源への接続を、スイッチＳＷ５ａでオン、オフ切替している回路である。このスイッチＳＷ５ａをオンとすることにより、Ｘ電極群Ｘａへ電位Ｖｘ１が供給され、Ｘ電極群Ｘａが固定電位Ｖｘ１にクランプされる。また、スイッチＳＷ５ａをオフとし、サステイン駆動回路２３のスイッチＳＷ４ａをオンとすれば、Ｘ電極群Ｘａは接地電位にクランプされる。このように、Ｘ電極Ｘ１を含むＸ電極群Ｘａへのリセット期間における電圧の印加は、例えばこのようなクランプ回路により実現されてよい。なお、図２において、Ｘ電極Ｘ１のアドレス期間ＴａにＸ電極Ｘ１に供給する電位は、リセット期間Ｔｒにおける電位Ｖｘ１と同様であるので、リセット駆動回路２４は、アドレス駆動回路も兼ねることになる。
【００５５】
次に、第２のＸ駆動回路ブロック２２のアドレス駆動回路２８及びリセット駆動回路２７の説明を行う。図３において、アドレス駆動回路２８は、スイッチＳＷ５ｂによる固定電位Ｖｘ１の供給回路を示し、リセット駆動回路２７は、スイッチＳＷ６ｂによる固定電位Ｖｘ２の供給回路を示している。よって、リセット期間Ｔｒの補償期間Ｔｒｃにおいては、スイッチＳＷ６ｂをオンとしてＸ電極群Ｘｂに固定電位Ｖｘ２を供給する。また、アドレス期間Ｔａに切り替わったら、スイッチＳＷ６ｂをオフとし、スイッチＳＷ５ｂをオンとして、アドレス期間ＴａにおいてＸ電極群Ｘｂに印加する固定電位Ｖｘ１を供給するようにする。このように、スキャン順序の最も遅いＹ電極Ｙｍと対をなすＸ電極Ｘｍを含むＸ電極群Ｘｂを駆動する第２のＸ駆動回路ブロック２２においては、低電位Ｖｘ２を供給するためのリセット駆動回路２７と、アドレス電位Ｖｘ１を供給するためのアドレス駆動回路２８とを別に設定することにより、低電位Ｖｘ２を供給することができる。
【００５６】
図４は、図３に示したＸ駆動回路２０の構成において、スイッチＳＷ１ａ〜ＳＷ５ａ、ＳＷ１ｂ〜ＳＷ６ｂをどのように制御するかのタイミングチャートと、Ｘ電極Ｘ１とＸ電極Ｘｍの電圧波形との関係を示した図である。
【００５７】
図３及び図４において、リセット期間Ｔｒの書き込み期間Ｔｒｗにおいては、時刻ｔ０では、スイッチＳＷ４ａ、ＳＷ４ｂのみがオンした状態である。これにより、Ｘ電極Ｘ１及びＸ電極Ｘｍは、接地電位となる。
【００５８】
次いで、時刻ｔ１において、書き込み期間Ｔｒｃに入るとともに、スイッチＳＷ４ａ、ＳＷ４ｂがオフし、スイッチＳＷ５ａ、ＳＷ６ｂがオンする。これにより、Ｘ電極Ｘ１には、固定電位Ｖｘ１が供給されるとともに、Ｘ電極Ｘｍには、固定電位Ｖｘ２が供給される。ここで、Ｖｘ２＜Ｖｘ１であるので、Ｘ電極Ｘｍを備えるセル１１内の補償期間Ｔｒｃにおける表示電極対の電位差の方が、Ｘ電極Ｘ１を備えるセル１１内の表示電極対の電位差よりも小さくなり、壁電荷を消去する放電が抑制される。
【００５９】
次いで、時刻ｔ２において、アドレス期間Ｔａに入り、第２のＸ駆動回路ブロック２２のスイッチＳＷ６ｂがオフとなり、スイッチＳＷ５ｂがオンとなる。スイッチＳＷ５ｂのオンにより、Ｘ電極Ｘｍには、固定電位Ｖｘ２が供給され、Ｘ電極Ｘ１、Ｘｍには等しく固定電位Ｖｘ１が供給され、アドレス放電が実行される。
【００６０】
このように、実施例１においては、簡素なスイッチング回路を用いて、リセット期間Ｔｒの補償期間Ｔｒｗにおいては、第２のＸ電極駆動ブロック２２のリセット駆動回路２７のスイッチＳＷ６ｂをオンとすることにより、Ｘ電極Ｘ１に供給されている固定電位Ｖｘ１よりも低い電位の固定電位Ｖｘ２を供給することができ、壁電荷量を多く残す制御を容易に実行することができる。
【００６１】
なお、アドレス期間Ｔａの最後の段階では、時刻ｔ３においてスイッチＳＷ５ａ、ＳＷ５ｂがオフし、スイッチＳＷ４ａ、ＳＷ４ｂがオンし、Ｘ電極Ｘ１、Ｘｍの電位が接地電位となり、次の時刻ｔ４から開始するサステイン放電に備えている。
【００６２】
このように、実施例１に係るプラズマディスプレイの駆動方法及びプラズマディスプレイ装置によれば、簡素な構成のクランプ回路により、スキャン順序の最も遅いＹ電極Ｙｍに対応するＸ電極Ｘｍの電位を、スキャン順序の最も早いＹ電極Ｙ１に対応するＸ電極Ｘ１の電位よりも低くして壁電荷量を調整し、適切なアドレス放電を行うことができる。
【実施例２】
【００６３】
図５は、本発明を適用した実施例２に係るプラズマディスプレイの駆動方法及びプラズマディスプレイ装置の１サブフィールドにおける電圧波形を示した図である。図５において、実施例１の図２と同様に、上から順にアドレス電極４５、Ｘ電極Ｘ１、Ｘｍ、Ｙ電極Ｙ１、Ｙｍに印加される電圧波形が示されている。
【００６４】
図５において、リセット期間ＴｒにおけるＹ電極Ｙ１、Ｙｍに印加されているリセットパルスの電圧波形は、実施例１における図２と同様であるので、同一の記号を付してその説明を省略する。
【００６５】
図５においては、リセット期間ＴｒにおけるＸ電極Ｘ１、Ｘｍに印加された電圧波形が、実施例１の図２と異なっている。実施例２においては、補償期間Ｔｒｃの開始時刻ｔ３では、Ｘ電極Ｘ１、Ｘｍの双方とも、共通の電位Ｖｘ１である。その後、時刻ｔ４において、Ｘ電極Ｘｍの電位が下降して時間の経過とともに電位が減少する傾斜波の電圧波形が示されている。また、時刻ｔ５でＸ電極Ｘ１の電位が下降し、やはり時間の経過とともに電位が減少する傾斜波の電圧波形が示されている。そして、Ｘ電極Ｘ１、Ｘｍの双方とも、時刻ｔ６で電位の減少が終了して最低電位となっている。そして、Ｘ電極Ｘ１、Ｘｍの双方とも、時刻ｔ６〜ｔ７は、最低電位を各々維持している。
【００６６】
ここで、Ｘ電極Ｘｍが最終的に到達した最低電位は、Ｘ電極Ｘ１が最終的に到達した最低電位よりも低電位であり、スキャン順序の一番遅いＹ電極Ｙｍに対応するＸ電極Ｘｍの電位が、スキャン順序の一番早いＹ電極Ｙ１に対応するＸ電極Ｘ１の電位よりも低くなるように設定されている。補償期間Ｔｒｃにおいて、Ｘ電極Ｘ１に印加された電圧波形と、Ｘ電極Ｘｍに印加された電圧波形は、固定電位Ｖｘ１から下降する傾きは略同一であり、下降を開始するタイミングが異なっている。つまり、Ｘ電極Ｘｍの電位の方が、時刻ｔ４でＸ電極Ｘ１の電位が下降を開始する時刻ｔ５よりも早いタイミングで傾斜波の下降が開始しており、同じタイミングの時刻ｔ６で電位を保つと、早く下降を開始したＸ電極Ｘｍの最低電位の方が、遅く下降を開始したＸ電極Ｘ１の最低電位よりも低くなっている。このように、Ｘ電極Ｘ１、Ｘｍに印加する電圧波形は、所定電位Ｖｘ１から、時間の経過とともに電位が減少する傾斜波であってもよい。この場合において、Ｘ電極Ｘ１に印加された電圧波形と、Ｘ電極Ｘｍに印加された電圧波形の減少特性が略同一である場合には、図５に示すように、減少を開始するタイミングを調整することにより、Ｙ電極Ｙ１、Ｙｍが最低電位となったときのＸ電極Ｘ１、Ｘｍの電位を調整できる。つまり、スキャン順序が遅いＹ電極Ｙｍに対応するＸ電極Ｘｍの方が、スキャン順序が早いＹ電極に対応するＸ電極Ｘ１よりも早く電位減少を開始するようにすれば、Ｙ電極Ｙ１、Ｙｍが最低電位（−Ｖｙｍ）であるときに、スキャン順序の遅いＹ電極Ｙｍに対応するＸ電極Ｘｍの方が低電位となるように設定することができる。
【００６７】
このように、Ｘ電極Ｘ１、Ｘｍに印加する電圧波形が、所定電位Ｖｘ１から時間の経過とともに減少する傾斜波を含む電圧波形であっても、スキャン順序の遅いＹ電極Ｙｍと対をなすＸ電極Ｘｍの電位の減少量を大きくし、Ｙ電極Ｙ１、Ｙｍに印加されるリセットパルスが最低電位となるときに、スキャン順序の早いＹ電極と対をなすＸ電極Ｘ１の電位よりも小さくすることにより、壁電荷の減少量を調整し、適切なアドレス放電を行うことができる。
【００６８】
なお、図５において、アドレス期間Ｔａ及びサステイン期間Ｔｓについては、実施例１の図２における説明と同様であるので、その説明を省略する。
【００６９】
図６は、実施例２に係るプラズマディスプレイの駆動方法を実現するためのプラズマディスプレイ装置のＸ駆動回路２０ａの構成の一例を示した図である。図６において、実施例１と同様の構成要素については、同一の参照符号を付し、その説明を省略又は簡略化する。
【００７０】
図６において、Ｘ駆動回路２０ａは、第１のＸ駆動回路ブロック２１と、第２の駆動回路ブロック２２ａとを有する。第１のＸ駆動回路ブロック２１のサステイン駆動回路２３と、第２のＸ駆動回路ブロック２２ａのサステイン駆動回路２６は、ともに実施例１の図３において説明した内容と同一であるので、同一の参照符号を付し、その説明を省略する。
【００７１】
また、第１のＸ駆動回路ブロック２１のリセット駆動回路２４についても、スイッチＳＷ５ａを介して固定電位Ｖｘ１に接続された構成であり、実施例１の図３と同様の構成であるので、その説明を省略する。
【００７２】
一方、第２のＸ駆動回路ブロック２２ａのリセット駆動回路２７ａは、実施例１の図３とは異なっている。図６において、第２のＸ駆動回路ブロック２２ａのリセット駆動回路２７ａは、固定電位Ｖｘ１にスイッチＳＷ５ｂを介して接続されたクランプ回路となっており、第１のＸ駆動回路ブロック２１のリセット駆動回路２４と同様の回路である。つまり、スイッチＳＷ５ｂをオンとすることにより、Ｘ電極群Ｘｂに固定電位Ｖｘ１が供給される回路である。このように、第１のＸ駆動回路ブロック２１と第２のＸ駆動回路ブロック２２ａが同一の回路構成であっても、図５に示したような電圧の異なる電圧波形を供給することができる。
【００７３】
図７は、図６に示したＸ駆動回路２０ａを用いて、実施例２に係るプラズマディスプレイの駆動方法を実現するための制御方法を示した図である。図７において、リセット期間ＴｒにＸ電極Ｘ１、Ｘｍに印加する電圧波形と、図６に示したＸ駆動回路２０ａのスイッチＳＷ１ａ〜ＳＷ５ａ、ＳＷ１ｂ〜ＳＷｂ５の切替タイミングが示されている。
【００７４】
図７において、時刻ｔ０でリセット期間Ｔｒが開始する。時刻ｔ０〜ｔ１の書き込み期間Ｔｒｗにおいては、スイッチＳＷ４ａ、ＳＷ４ｂのみがオンであり、Ｘ電極Ｘ１、Ｘｍはともに接地電位となっている。この間、図５に示したように、Ｙ電極Ｙ１、Ｙｍには正極性の最高電位（Ｖｓ＋Ｖｗ）に到達するリセットパルスが印加され、第１回目のリセット放電が行われる。
【００７５】
次いで、書き込み期間Ｔｒｗが終了し、時刻ｔ１において、補償期間Ｔｒｃが開始する。時刻ｔ１のときに、スイッチＳＷ４ａ、ＳＷ４ｂがオフに切り替わるとともに、スイッチＳＷ５ａ、ＳＷ５ｂがオンに切り替わる。これにより、Ｘ電極Ｘ１、Ｘｍには、ともに固定電位Ｖｘ１が供給される。
【００７６】
次いで、時刻ｔ２において、第２のＸ駆動回路２２ａのリセット駆動回路２７ａのスイッチＳＷ５ｂがオフに切り替わる。これにより、Ｘ電極Ｘｍは、フローティング状態又はハイインピーダンス状態となる。ここで、図５を参照すると、Ｙ電極Ｙｍに印加されているリセットパルスは、補償期間Ｔｒｃにおいては、時間の経過とともに減少する傾斜波が印加されているタイミングであり、しかも正極性から既に負極性に切り替わったタイミングである。よって、フローティング状態であるＸ電極Ｘｍは、固定電位Ｖｘの供給で蓄えられた電荷が、Ｙ電極Ｙｍの電位変化の影響を受ける状態となる。図７に戻ると、つまり、Ｙ電極Ｙｍの電位低下に伴い、Ｘ電極Ｘｍの電位も低下する変化を示す。よって、時刻ｔ２〜ｔ４は、Ｘ電極Ｘｍの電位は、Ｙ電極Ｙｍの減少傾斜の影響を受けて、電位が時間の経過とともに減少する傾斜波を示す。
【００７７】
同様に、時刻ｔ３においては、第１のＸ駆動回路２１のリセット駆動回路２４のスイッチＳＷ５ａがオフに切り替わり、Ｘ電極Ｘ１がフローティング状態となっている。この場合も、Ｙ電極Ｙｍと同じ現象が発生し、Ｙ電極Ｙ１に供給されている電位の減少とともに、Ｘ電極Ｘ１の電位も、固定電位Ｖｘ１から時間の経過とともに減少する傾斜波を示す。しかしながら、Ｘ電極Ｘ１においては、Ｘ電極群ＸａをフローティングとしたタイミングがＸ電極Ｘｂよりも遅いので、電位の減少量が、Ｘ電極Ｘｍよりも小さくなる。よって、時刻ｔ４〜ｔ５の期間における電位は、Ｘ電極Ｘｍの方が、Ｘ電極Ｘ１よりも低くなり、Ｙ電極Ｙ１、Ｙｍに最低電圧（−Ｖｙｍ）が印加されているタイミングにおいては、一番スキャン順序の遅いＹ電極Ｙｍに対応するＸ電極Ｘｍの電位を、一番スキャン順序の早いＹ電極Ｙ１に対応するＸ電極Ｘ１の電位よりも低くすることができる。これにより、セル１１内の壁電荷量をスキャン順序に応じて調整でき、適切なアドレス放電を行うことができる。
【００７８】
このような、Ｘ電極Ｘ１、Ｘｍをフローティング状態として、Ｘ電極Ｘ１、Ｘｍの電位を減少させる制御方法では、回路コストを低減させることができる。
【００７９】
なお、アドレス期間Ｔａ以降は、今まで説明した内容と同様であるので、その説明を省略する。
【実施例３】
【００８０】
本発明を適用した実施例３に係るプラズマディスプレイの駆動方法及びプラズマディスプレイ装置は、アドレス電極４５、Ｘ電極Ｘ１、Ｘｍ及びＹ電極Ｙ１、Ｙｍに印加した電圧波形は、実施例２の図５で示した電圧波形と同様となる。しかしながら、実施例３に係るプラズマディスプレイの駆動方法及びプラズマディスプレイ装置は、そのＸ駆動回路２０ｂの構成及び駆動制御方法が異なるので、実施例３においては、実施例２と異なる点について説明する。
【００８１】
図８は、本発明を適用した実施例３に係るプラズマディスプレイ装置のＸ駆動回路２０ｂを示した図である。図８において、Ｘ駆動回路２０ｂは、第１のＸ駆動回路ブロック２１ｂと、第２のＸ駆動回路ブロック２２ｂとを備える。第１の駆動回路ブロック２１ｂは、サステイン駆動回路２３と、リセット駆動回路２４ｂとを備え、第２の駆動回路ブロック２２ｂは、サステイン駆動回路２６と、リセット駆動回路２７ｂとを備える。ここで、サステイン駆動回路２３、２６は、実施例１の図３及び実施例２の図６と同様の機能及び構成を有するので、同一の参照符号を付してその説明を省略する。
【００８２】
一方、第１のＸ駆動回路ブロック２１ｂのリセット駆動回路２４ｂは、高電位の固定電位Ｖｘ１をＸ電極群Ｘａに供給するためのスイッチＳＷ５ａと、低電位の固定電位Ｖｘ４をＸ電極群Ｘａに供給するためのスイッチＳＷ７ａと、抵抗Ｒａとを備える。また、第２のＸ駆動回路ブロック２２ｂのリセット駆動回路２７ｂは、高電位の固定電位Ｖｘ１をＸ電極群Ｘａに供給するためのスイッチＳＷ５ｂと、低電位の固定電位Ｖｘ３をＸ電極群Ｘｂに供給するためのスイッチＳＷ７ｂと、抵抗Ｒｂとを備える。リセット駆動回路２４ｂと、リセット駆動回路２７ｂは、回路構成はほぼ同様であるが、低電位側の固定電位が、リセット駆動回路２４ｂは固定電位Ｖｘ４を供給し、リセット駆動回路２７ｂは固定電位Ｖｘ３を供給する点でのみ異なっている。
【００８３】
ここで、第１のＸ駆動回路ブロック２１ｂのリセット駆動回路２７ｂの低電位側の固定電位Ｖｘ３を、第２のＸ駆動回路ブロック２２ｂのリセット駆動回路２４ｂの低電位側の固定電位Ｖｘ４よりも低い電位に設定しておけば、スキャン順序の遅いＹ電極Ｙｍと対をなすＸ電極Ｘｍの方に、低い電位を供給できることになる。
【００８４】
なお、リセット駆動回路２４ｂ、２７ｂにおいて、スイッチＳＷ５ａ、ＳＷ５ｂをオンすると、Ｘ電極群Ｘａ、Ｘｂは、即座に固定電位Ｖｘ１にクランプされるが、低電位側のＶｘ４、Ｖｘ３については、抵抗Ｒａ、Ｒｂとプラズマディスプレイパネル１０の容量性負荷でＲＣ直列回路の積分回路を構成しているため、立ち上がり及び立ち下がりが徐々に変化するなだらかな変化を示す。
【００８５】
図９は、図８に示したプラズマディスプレイ装置を用いた、実施例３に係るプラズマディスプレイの駆動方法の具体的な制御内容を示した図である。図９において、実施例３に係るプラズマディスプレイの駆動方法のリセット期間Ｔｒ及びアドレス期間Ｔａのタイミングチャートと、Ｘ電極Ｘ１、Ｘｍに印加される電圧波形が示されている。
【００８６】
時刻ｔ０からリセット期間Ｔｒの書き込み期間Ｔｒｗが開始するが、時刻ｔ０〜ｔ１の期間において、スイッチＳＷ４ａ、ＳＷ４ｂのみがオンとなり、Ｘ電極Ｘ１、Ｘｍは接地電位となる。
【００８７】
次いで、時刻ｔ１において、補償期間Ｔｒｃに切り替わる。時刻ｔ１で、スイッチＳＷ４ａ、ＳＷ４ｂがオフに切り替わるとともに、スイッチＳＷ５ａ、ＳＷ５ｂがオンに切り替わる。これにより、Ｘ電極Ｘ１、Ｘｍには、リセット駆動回路２４ｂ、２７ｂの高電位側の固定電位Ｖｘ１が供給され、Ｘ電極Ｘ１、Ｘｍの双方とも固定電位Ｖｘ１となる。
【００８８】
次いで、時刻ｔ２において、リセット駆動回路２７ｂの高電位Ｖｘ１側のスイッチＳＷ５ｂがオフに切り替わるとともに、低電位Ｖｘ３側のスイッチＳＷ７ｂがオンに切り替わる。これにより、Ｘ電極Ｘｍには、低電位側の固定電位Ｖｘ３が供給されるが、上述のように、抵抗Ｒｂとプラズマディスプレイパネル１０の容量性負荷とのＲＣ直列回路により、Ｘ電極Ｘｍの電位は、緩やかに下降する傾斜波の波形となる。
【００８９】
次いで、時刻ｔ３において、リセット駆動回路２４ｂの高電位Ｖｘ１側のスイッチＳＷ５ａがオフとなり、低電位Ｖｘ４側のスイッチＳＷ７ａがオンとなる。これにより、Ｘ電極Ｘ１には、低電位側の固定電位Ｖｘ４が供給されるが、これも抵抗Ｒａとプラズマディスプレイパネル１０の容量性負荷とのＲＣ直列回路を構成しているので、Ｘ電極Ｘ１に印加される電圧波形は、やはり時間の経過とともに電位が減少する傾斜波となる。
【００９０】
時刻ｔ４において、Ｘ電極Ｘ１は固定電位Ｖｘ３に到達し、Ｘ電極Ｘｍは固定電位Ｖｘ４に到達する。そして、時刻ｔ４〜ｔ５の期間において、固定電位Ｖｘ３、Ｖｘ４は維持される。ここで、Ｖｘ３＜Ｖｘ４であるので、スキャン順序の最も遅いＹ電極と表示電極対をなすＸ電極Ｘｍの電位は、スキャン順序の最も早いＹ電極Ｙ１と表示電極対をなすＸ電極Ｘ１の電位よりも低いこととなり、補償期間Ｔｒｃにおける壁電荷量を消去する放電を、スキャン順序の遅いセル１１で抑制することができ、壁電荷を多く残すことができる。なお、Ｘ電極Ｘ１が低電位Ｖｘ４に到達する時刻と、Ｘ電極Ｘｍが低電位Ｖｘ３に到達する時刻は、図９においては時刻ｔ４で一致しているが、これらは完全に一致していなくてもよく、若干前後していてもよい。
【００９１】
また、抵抗Ｒａ、Ｒｂの値が同程度であれば、補償期間Ｔｒｃにおける傾斜波は、ほぼ同じ減少特性を示すので、図９に示したようなスイッチング駆動となるが、例えば、抵抗Ｒａ、Ｒｂを調整し、Ｘ電極Ｘｍの傾斜を急峻にして時刻ｔ２と時刻ｔ３のスイッチングのタイミングを近付けるようにしてもよい。
【００９２】
このように、値の異なる低電位の固定電位Ｖｘ３、Ｖｘ４を設定し、ＲＣ直列回路を設け、スイッチングにより傾斜波を生成し、これによりＸ電極Ｘ１、Ｘｍの電位を制御するようにしてもよい。実施例３に係るプラズマディスプレイの駆動方法及びプラズマディスプレイ装置によれば、低電位の固定電位Ｖｘ３、Ｖｘ４を正確に制御して、リセット放電Ｔｒの補償期間Ｔｒｃの壁電荷調整を実行することができる。
【実施例４】
【００９３】
図１０は、本発明を適用した実施例４に係るプラズマディスプレイの駆動用法及びプラズマディスプレイ装置の１サブフィールドにおけるアドレス電極４５、Ｘ電極Ｘ１、Ｘｍ及びＹ電極Ｙ１、Ｙｍに印加する電圧波形を示した図である。
【００９４】
時刻ｔ０〜ｔ１の期間は、リセット期間Ｔｒの書き込み期間Ｔｒｗであるが、Ｙ電極Ｙ１、Ｙｍには、最高電位（Ｖｓ＋Ｖｗ）が印加され、第１回目のリセット放電が発生する。Ｘ電極Ｘ１、Ｘｍ及びアドレス電極４５は、接地電位で電圧は印加されていない。
【００９５】
時刻ｔ１からリセット期間Ｔｒの補償期間Ｔｒｃに入る。このとき、Ｙ電極Ｙ１、Ｙｍには、今までの説明と同様に、時間の経過とともに電位が低下する電圧波形が印加される。一方、Ｘ電極Ｘ１、Ｘｍには、固定電位Ｖｘ１が供給される。
【００９６】
時刻ｔ２において、スキャン順序の一番遅いＹ電極Ｙｍと対をなすＸ電極Ｘｍの電位が、固定電位Ｖｘ１から減少し、時間の経過とともに電位が減少する傾斜波となる。一方、Ｘ電極Ｘ１は、一定電位の固定電位Ｖｘ１に保たれる。
【００９７】
時刻ｔ３において、Ｙ電極Ｙ１、Ｙｍの電位が最低電位（−Ｖｙｍ）となったときには、Ｘ電極Ｘｍの電位も最低電位に到達する。そして、時刻ｔ４、つまり補償期間Ｔｒｃが終了するまで、Ｙ電極は最低電位（−Ｖｙｍ）、Ｘ電極Ｘ１は固定電位Ｖｘ１、Ｘ電極Ｘｍは最低電位のまま保たれる。
【００９８】
時刻ｔ４〜ｔ５はアドレス期間Ｔａ、時刻ｔ５〜ｔ６はサステイン期間であるが、この内容は、実施例１の図２及び実施例２の図５と同様の内容であるので、その説明を省略する。
【００９９】
実施例４に係るプラズマディスプレイの駆動用法及びプラズマディスプレイ装置では、リセット期間Ｔｒの補償期間Ｔｒｃにおいて、Ｘ電極Ｘ１には固定電位Ｖｘ１を印加し、Ｘ電極Ｘｍには時間の経過とともに電位が減少する傾斜波を含む電圧波形を印加している。このように、スキャン順序の一番早いＹ電極Ｙ１と表示電極対をなすＸ電極Ｘ１には固定電位Ｖｘ１を印加し、スキャン順序の一番遅いＹ電極Ｙｍと表示電極対をなすＸ電極Ｘｎには時間の経過とともに電位が減少する傾斜波を印加するようにしてもよい。これにより、Ｘ電極Ｘ１とＸ電極Ｘｍに供給する電位の差を大きく設定することができ、補償期間Ｔｒｃの放電における調整幅を大きくすることができる。
【０１００】
次に、実施例４に係るプラズマディスプレイの駆動方法を実現するプラズマディスプレイ装置の構成例について説明する。図１０に示した電圧波形を駆動するためには、Ｘ電極Ｘ１を駆動する第１のＸ駆動回路ブロック２１についてはクランプ回路を用い、Ｘ電極Ｘｍを駆動する第２のＸ駆動回路ブロック２２ａ、２２ｂについては、例えば、Ｘ電極Ｘｍをフローティンング（ハイインピーダンス）状態とする構成とすればよい。
【０１０１】
まず、第１のＸ駆動回路ブロック２１については、実施例１の図３又は実施例２の図６で示した、第１のＸ駆動回路ブロック２１をそのまま適用することができる。
【０１０２】
また、第２のＸ駆動回路ブロック２２ａに、Ｘ電極Ｘｍをフローティング状態とする構成を適用する場合には、実施例２において説明した、図６の第２のＸ駆動回路ブロック２２ａをそのまま適用することができる。よって、実施例４に係るプラズマディスプレイの駆動方法を実現するためのプラズマディスプレイ装置には、実施例２の図６の構成のＸ駆動回路２０ａをそのまま適用することができる。
【０１０３】
かかる図６の構成のＸ駆動回路２０ａを用いて図１０に示した電圧波形を実現するためには、図１０の時刻ｔ１において、第１のＸ駆動回路ブロック２１は、スイッチＳＷ５ａをオンとし、そのままクランプ状態にしておく。一方、第２のＸ駆動回路ブロック２２ａについては、時刻ｔ２で、スイッチＳＷ５ｂをオフにすればよい。これにより、Ｘ電極Ｘｍはフローティング状態となるので、Ｙ電極Ｙｍの電位の下降の影響を受け、時間の経過とともに電位が減少する傾斜波を作ることができる。このように、フローティングにより回路コストを低減させることができ、図６に示した簡素な構成で、傾斜波を実現することができる。
【０１０４】
このように、実施例４に係るプラズマディスプレイの駆動方法を実現するプラズマディスプレイ装置によれば、図６の構成のＸ駆動回路２０ａを用いて、図１０に示す電圧波形を発生させることができ、スキャン順序の最も早いＹ電極Ｙ１に対応するＸ電極Ｘ１の電位Ｖｘ１よりも、スキャン順序の最も遅いＹ電極Ｙｍに対応するＸ電極Ｙｍの電位を大幅に低く設定することができる。
【実施例５】
【０１０５】
本発明を適用した実施例５に係るプラズマディスプレイの駆動方法及びプラズマディスプレイ装置は、実施例４とほぼ同様の電圧波形を示す。よって、実施例５に係るプラズマディスプレイの駆動方法及びプラズマディスプレイ装置の電圧波形は、図１０に示した電圧波形とほぼ同様となる。
【０１０６】
実施例５に係るプラズマディスプレイの駆動方法及びプラズマディスプレイ装置は、リセット期間Ｔｒの補償期間ＴｒｃにＸ電極Ｘｍに印加する傾斜波が、低電位Ｖｘ３を用いて生成される点で、実施例４に係るプラズマディスプレイの駆動方法及びプラズマディスプレイ装置と異なっている。
【０１０７】
よって、実施例５に係るプラズマディスプレイ装置のＸ駆動回路の構成は、実施例１の図３及び実施例２の図６に示した第１のＸ駆動回路ブロック２１と、実施例３の図８に示した第２のＸ駆動回路ブロック２２ｂを組み合わせた構成となる。
【０１０８】
かかるＸ駆動回路の構成において、第１のＸ駆動回路ブロック２１は、リセット駆動回路２４のスイッチＳＷ５ａを図１０の時刻ｔ１においてオンとする。また、時刻ｔ１において、第２のＸ駆動回路ブロック２２ｂのリセット駆動回路２７ｂのスイッチＳＷ５ｂもオンとする。これにより、Ｘ電極Ｘ１、Ｘｍの双方に固定電位Ｖｘ１が印加される。
【０１０９】
次に、時刻ｔ２において、第２のＸ駆動回路ブロック２２ｂのリセット駆動回路２７ｂのスイッチＳＷ５ｂをオフに切り替えるとともに、スイッチＳＷ７ｂをオンに切り替える。これにより、低電位Ｖｘ３が、ＲＣ直列回路を経てＸ電極Ｘｍに供給される。よって、図１０に示すような時間の経過とともに電位が減少する傾斜波になるとともに、最終的に時刻ｔ３で低電位の固定電位Ｖｘ３がＸ電極Ｘｍに供給される。
【０１１０】
このように、実施例５に係るプラズマディスプレイの駆動方法及びプラズマディスプレイ装置によれば、Ｘ電極Ｘ１とＸ電極Ｘｍに補償期間Ｔｒｃに供給される電位の差を大きく設定でき、壁電荷量の調整量を大きくすることができるとともに、電極Ｘｍの低電位を正確に制御することができる。
【０１１１】
以上、本発明の好ましい実施例について詳説したが、本発明は、上述した実施例に制限されることはなく、本発明の範囲を逸脱することなく、上述した実施例に種々の変形及び置換を加えることができる。
【０１１２】
特に、Ｙ電極３５のスキャン順序は、Ｙ１からＹｍに移動する例を挙げて説明したが、これらは任意に設定でき、例えばＹｍからＹ１にスキャンする順序としてもよい、この場合には、Ｘ電極Ｘ１とＸ電極Ｘｍを入れ替えれば、そのまま本実施例を適用することができる。また、Ｘ駆動回路２０、２０ａ、２０ｂは、第１の駆動回路ブロック２１、２１ａと第２の駆動回路ブロック２２、２２ａ、２２ｂの２つが設けられた例を説明したが、この数を増やし、第１の駆動回路ブロック２１、２１ａと第２の駆動回路ブロック２２、２２ａ、２２ｂの間に、更に多く、例えば第３、第４のＸ駆動回路ブロックを設けるようにしてもよい。
【０１１３】
なお、今まで説明した実施例においては、主に最もスキャン順序の早いＹ電極を含む表示電極対と、最もスキャン順序の遅いＹ電極を含む表示電極対との比較において説明を行ってきたが、これらの実施例では、スキャン順序の最初と最後の間の途中においても、スキャン順序の遅いＹ電極を含む表示電極対（第２表示電極対）の最大電位差は、スキャン順序の早いＹ電極を含む表示電極対（第１の表示電極対）の最大電位差以下であって、かつ、スキャン順序の遅いＹ電極を含む第２の表示電極対間の最大電位差が、スキャン順序の早いＹ電極を含む第１の表示電極対間の最大電位差未満である表示電極対の組み合わせを少なくとも１つは含むことを意味している。つまり、スキャン順序が最初と最後のＹ電極を有する表示電極対との二者間でのみ、表示電極対間の電位差の大小関係を満たしていればよいという趣旨ではなく、スキャン順序の遅いＹ電極を有する第２の表示電極対間の最大電位差は、自己よりスキャン順序の早いＹ電極を有する第１の表示電極対間の最大電位差と等しいか、又はこれよりも小さいという関係が、総ての表示電極対に対して適用された状態を意味している。そして、その表示電極対間の最大電位差の調整は、Ｙ電極に印加される電位ではなく、Ｘ電極に印加される電位により調整されている。また、上述のスキャン順序は、Ｙ電極にスキャンパルスを印加する時間が時間上前であるか時間上後であるかと同義であり、スキャン順序が早い方が、Ｙ電極にスキャンパルスを印加する時間が時間上前であり、スキャン順序が遅い方が、Ｙ電極にスキャンパルスを印加する時間が時間上後になる。
【０１１４】
また、以上に記載した実施例では、全てのセルに対してリセット放電を行うリセット期間での補償期間について説明したが、本願発明はこれに限るものではなく、直前のサブフィールドで点灯していたセルに対してリセット放電を行う場合においても適用可能であることは明らかである。図１１は、直前のサブフィールドで点灯していた表示セルのみをリセット放電させる場合に、本願発明を適用した例を示した電圧波形図である。例えば、図１１に示すように、リセット放電のための正極性のリセットパルスとして時間の経過とともに増加する傾斜波をＹ電極に印加するが、その到達電位はサステイン期間での印加電圧値と同じＶｓであり、直前のサブフィールドで点灯していたセルでのみ放電する電位としている。そして、他の波形は図２と同じである。このように、本願発明は、総ての表示セルにリセット放電を発生させる場合だけでなく、直前に点灯していた表示セルのみにリセット放電を発生させる場合にも、好適に適用することができる。
【図面の簡単な説明】
【０１１５】
【図１】本実施の形態に係るプラズマディスプレイ装置の全体構成図である。
【図２】実施例１に係るプラズマディスプレイの駆動方法及びプラズマディスプレイ装置の１サブフィールドの電圧波形を示した図である。
【図３】実施例１のプラズマディスプレイ装置のＸ駆動回路構成例を示した図である。
【図４】Ｘ駆動回路２０のタイミングチャートを示した図である。
【図５】実施例２に係るプラズマディスプレイの駆動方法及びプラズマディスプレイ装置の１サブフィールドの電圧波形を示した図である。
【図６】実施例２のプラズマディスプレイ装置のＸ駆動回路構成例を示した図である。
【図７】実施例２に係るプラズマディスプレイの駆動方法の制御内容を示した図である。
【図８】実施例３に係るプラズマディスプレイ装置のＸ駆動回路２０ｂを示した図である。
【図９】実施例３に係るプラズマディスプレイの駆動方法の制御内容を示した図である。
【図１０】実施例４に係るプラズマディスプレイの駆動用法及びプラズマディスプレイ装置の１サブフィールドの電圧波形を示した図である。
【図１１】直前のサブフィールドで点灯していた表示セルのみをリセット放電させる場合の電圧波形図である。
【符号の説明】
【０１１６】
１０    プラズマディスプレイパネル
１１    セル
２０、２０ａ、２０ｂ    Ｘ駆動回路
２１、２１ｂ    第１のＸ駆動回路ブロック
２２、２２ａ、２２ｂ    第２のＸ駆動回路ブロック
２３、２６    サステイン駆動回路
２４、２４ｂ、２７、２７ａ、２７ｂ    リセット駆動回路
２５    Ｘ電極
３０    Ｙ駆動回路
３５    Ｙ電極
４０    アドレス駆動回路
４５    アドレス電極
５０    制御回路
【図１】
2010039309.tif 000003
【図２】
2010039309.tif 000004
【図３】
2010039309.tif 000005
【図４】
2010039309.tif 000006
【図５】
2010039309.tif 000007
【図６】
2010039309.tif 000008
【図７】
2010039309.tif 000009
【図８】
2010039309.tif 000010
【図９】
2010039309.tif 000011
【図１０】
2010039309.tif 000012
【図１１】
2010039309.tif 000013